(57)【特許請求の範囲】
【請求項１】
正面部、背面部、左右肩部、左右袖部及び襟部からなる伸縮性を有する衣服の背面部上方にゴム紐をたすき掛けにして取付けた衣服において、
前記ゴム紐のたすき掛けは、
２本の前記ゴム紐のうち、一方のゴム紐を前記正面部の前記右袖部の脇部より上方位置から、前記右肩部を通って、前記背面部の前記左袖部の脇部より上方位置へ架け、
他方のゴム紐を前記正面部の前記左袖部の脇部より上方位置から、前記左肩部を通って、前記背面部の前記右袖部の脇部より上方位置へ架けたことを特徴とするゴルフ用スポーツウェア。
【発明の詳細な説明】
【技術分野】
【０００１】
本発明は、衣服に関し、更に詳しくはスポーツウェアであって、特にゴルフ時に使用されるゴルフ用スポーツウェアに関するものである。
【背景技術】
【０００２】
従来より、スポーツの正しいフォームを習得しやすくするための矯正器具が多種多様に亘り発明及び考案がされている。
【０００３】
スポーツをする際には、そのスポーツの正しいフォームを習得することが、上達するための一番の近道である。例えば、ゴルフにおいては、ゴルフプレーヤーがクラブでボールをインパクトする際に、より正確にボールの飛距離を伸ばすためには、ゴルフクラブの適切なスイングを行う必要がある。この場合、適切なスイングを行うためには、ボールと足との間の距離を最適なものとする必要があると共に、ボールにクラブがインパクトする際の上半身の前傾姿勢を適切なものとする必要がある。
【０００４】
このような前傾姿勢を適切に維持するための姿勢矯正器として、プレーヤーがスイングの練習を行う場合に装着する姿勢矯正器であって、プレーヤーの腰部に固定しうる装着部と、上記装着部に対して固定され、装着された場合にはプレーヤーの背中に当接しうるように配置され、プレーヤーがスイングする際の上半身の前傾角度を規制しうる背中当接部と、上記前傾角度を視認しうる角度指示部とを有することを特徴とするものが公知である。（例えば、特許文献１参照）
【０００５】
これにより、特許文献１に係る姿勢矯正器にあっては、プレーヤーが、上記角度指示部により最適な前傾角度を設定した状態で装着してスイングの練習を行うことができることから、装着した状態で繰り返しスイングの練習を反復して行うことにより、より正確にゴルフボールの飛距離を伸ばすために必要な上体の前傾角度を確実に身につけることができるものである。
【０００６】
しかし、特許文献１に記載の構成においては、前記姿勢矯正器を用いてスイングにおける理想的な前傾角度を体得することができても、ゴルフプレイ中には使用することができないため、特に初心者においては体得した前傾角度によって、スイングすることができていないのが実情である。
【０００７】
また、練習中でも試合中においても使用することができるものとして、スポーツのフォーム矯正装着着であって、左右の上腕の内転および外転を抑制するために，８の字によじれて背中側からループになったところに腕を通して両脇にかけた肩のエラスチックベルトに両腕の付け根を絞めるエラスチックベルトが脇のところで縫い付けてあるところを特徴とするフォーム矯正肩ベルトが公知である。（例えば、特許文献２参照）
【０００８】
特許文献２に記載のフォーム矯正肩ベルトの構成は、８の字によじって背中側から両腕をループになったところを通して脇にかけた肩のエラスチックベルト（１）に両腕の付け根を絞めるエラスチックベルト（２）が脇のところで脇とほぼ同じ幅でもって縫い付けてあり、肩のエラスチックベルト（１）が背中において罰点に交差するところは動かないように縫い付けてあるもので、装着を簡単にするために腕のエラスチックベルト（２）に面ファスナー（３）が設けられている。
【０００９】
これにより、特許文献２に係るスポーツのフォーム矯正装着着にあっては、フォーム矯正肩ベルトは左右の上腕の付け根を脇に固定し内転・外転を抑制することができ、装着することで左右の上半身の動きを正しいフォームに連動させることができるものである。
【特許文献１】特開２００６−６８０８８号公報
【特許文献２】特開２００４−６５９５９号公報
【発明の開示】
【発明が解決しようとする課題】
【００１０】
一方で、特許文献２に係る発明は、スポーツのフォーム矯正装着着であって、通常、スポーツのフォーム矯正装着着を装着したのち、その上から練習用着或いはユニフォームを着用するものである。また、その装着を簡単にするために腕のエラスチックベルト（２）に面ファスナー（３）が設けられているものであり、スポーツの種目にもよるが激しい動きをする種目によっては、腕のエラスチックベルト（２）に設けられた面ファスナー（３）が脱着する恐れがある。また、一旦脱着してしまうと、フォーム矯正肩ベルトの上から練習用着或いはユニフォームを着用しているため、再び取り付ける際の困難性が懸念される。
【００１１】
そこで、本発明はこのような問題点を解決するものであって、練習中でも試合中においても使用することができ、取付けの困難性も問題とせず、衣服に関するものであって、更に詳しくは特に上半身の姿勢を矯正するスポーツウェアであって、特にゴルフ時に使用されるスポーツウェアを提供することを課題とする。
【課題を解決するための手段】
【００１２】
前記問題点を解決するために本発明の請求項１に記載の発明のゴルフ用スポーツウェアは、正面部、背面部、左右肩部、左右袖部及び襟部からなる伸縮性を有する衣服において、前記衣服における前記背面部の上方に、ゴム紐をたすき掛けにして取付け、前記ゴム紐のたすき掛けは、２本の前記ゴム紐のうち、一方のゴム紐を前記正面部の前記右袖部の脇部より上方位置から、前記右肩部を通って、前記背面部の前記左袖部の脇部より上方位置へ架け、他方のゴム紐を前記正面部の前記左袖部の脇部より上方位置から、前記左肩部を通って、前記背面部の前記右袖部の脇部より上方位置へ架けたことを特徴とするものである。
【００１３】
請求項１記載のゴルフ用スポーツウェアに係る発明では、衣服における前記背面部の上方に、ゴム紐をたすき掛けにし、２本の前記ゴム紐のうち、一方のゴム紐を前記正面部の前記右袖部の脇部より上方位置から、前記右肩部を通って、前記背面部の前記左袖部の脇部より上方位置へ架け、他方のゴム紐を前記正面部の前記左袖部の脇部より上方位置から、前記左肩部を通って、前記背面部の前記右袖部の脇部より上方位置へ架けたので、着用者が本願発明のスポーツウェアを着用して、スイング開始前のアドレス時に上半身の前傾姿勢をとった際、前記背面部に設けられた前記ゴム紐は伸長された状態となるとともに、収縮作用も伴う。よって、前記ゴム紐は、前記正面部における両脇部より上方位置の衣服、両肩部の衣服及び前記背面部における両脇部より上方位置の衣服を引っ張るようにして作用する。
【００１４】
請求項１の発明によれば、２本の前記ゴム紐のうち、一方のゴム紐を前記正面部の前記右袖部の脇部より上方位置から、前記右肩部を通って、前記背面部の前記左袖部の脇部より上方位置へ架け、他方のゴム紐を前記正面部の前記左袖部の脇部より上方位置から、前記左肩部を通って、前記背面部の前記右袖部の脇部より上方位置へ架けたので、着用者が本願発明のスポーツウェアを着用して、スイング開始前のアドレス時に上半身の前傾姿勢をとった際、前記背面部に設けられた前記ゴム紐は伸長された状態となるとともに、収縮作用も伴う。よって、前記ゴム紐は、前記正面部における両脇部より上方位置の衣服、両肩部の衣服及び前記背面部における両脇部より上方位置の衣服を引っ張るようにして作用する。
これによって、着用者の肩甲骨を引き上げるようにして、着用者の上半身の前傾姿勢を矯正することができる。このため、アドレス時に不用意に猫背になることもなく、上半身の前傾姿勢を矯正しながら、スイングをすることができる。
【００１５】
以下、本発明の実施の形態におけるゴルフ用スポーツウェアを図面に基づいて説明する。
【実施例１】
【００１６】
本発明のゴルフ用スポーツウェアの実施例１について図１乃至図４に基づいて説明する。
【００１７】
図１及び図２に示すように、半袖スポーツウェア１１は、伸縮性を有する織布からなり、主に正面部２、背面部３、襟部４、右肩部５、左肩部６、右袖部７及び左袖部８より構成されている。前記半袖スポーツウェア１１は全体として、いわゆる半袖Ｔシャツと同様の形態である。半袖Ｔシャツと相違するところは、前記正面部２から前記右肩部５及び前記左肩部６と通って、前記背面部３に２本のゴム紐９を設けたことにある。以下に、説明する。
【００１８】
前記ゴム紐９は、幅２ｃｍの平坦な板状で、前記半袖スポーツウェア１１のデザインに合わせて、様々に配色を施すことが可能である。前記ゴム紐９は、前記半袖スポーツウェア１１における前記背面部３の上方に２本をたすき掛けにして縫着或いは接着されている。
【００１９】
１本の前記ゴム紐９は、一端部をゴム紐端部９ａ、他端部をゴム紐端部９ｂとして、前記半袖スポーツウェア１１における前記正面部２の前記右袖部７の脇部よりやや上方位置をゴム紐端部９ａとして、他端部である前記ゴム紐端部９ｂは、前記右肩部５を通って、前記半袖スポーツウェア１１における前記背面部３の前記左袖部８の脇部よりやや上方位置へ架けられている。
【００２０】
他方の前記ゴム紐９においても、同様にして、一端部をゴム紐端部９ａ、他端部をゴム紐端部９ｂとして、前記半袖スポーツウェア１１における前記正面部２の前記左袖部８の脇部よりやや上方位置をゴム紐端部９ａとして、他端部である前記ゴム紐端部９ｂは、前記左肩部６を通って、前記半袖スポーツウェア１１における前記背面部３の前記右袖部７の脇部よりやや上方位置へ架けられている。
【００２１】
このとき、前記正面部２における前記右袖部７及び前記左袖部８の脇部よりやや上方位置に架けられた前記ゴム紐端部９ａ、及び前記背面部３における前記右袖部７及び前記左袖部８の脇部よりやや上方位置に架けられた前記ゴム紐端部９ｂは、前記半袖スポーツウェア１１が着用者に着用されたときに、着用者の脇部付近に架けられていればよい。
また、双方の前記ゴム紐９の積重関係は、問題としない。
【００２２】
また、前記ゴム紐９の前記半袖スポーツウェア１１への縫着は、前記ゴム紐９が伸縮性を損なわないよう、前記ゴム紐９の縁部をオーバーロック縫い、千鳥縫い及びフラットシーマ等によってされる。前記ゴム紐端部９ａ及び前記ゴム紐端部９ｂにおいても、同様に縫着される。
また、前記ゴム紐９とデザインが合うように、フェイク部１２を設けることもできる。
【００２３】
このようにして、構成される前記半袖スポーツウェア１１は、前記実施例１と同様に、主に、ゴルフをする際に着用することで、機能するものである。
スイング開始前のアドレス時には、着用者は、ボールと足との間の距離を最適なものとする必要があると共に、上半身の前傾姿勢をとる。
このため、前記半袖スポーツウェア１１の前記背面部３に双方がたすき掛けされ、各脇部よりやや上方位置に設けられた前記ゴム紐９は、伸長された状態になる。これと同時に、前記ゴム紐９は収縮作用もする。
この収縮作用によって、前記正面部２の前記右袖部７及び前記左袖部８の各脇部よりやや上方位置に取付けられた前記ゴム紐端部９ａは、前記正面部２の前記右袖部７及び前記左袖部８の各脇部の織布、前記正面部２の前記右肩部５及び前記左肩部６の織布を引っ張り、着用者の肩甲骨を引き上げるようにして、着用者の上半身の前傾姿勢を矯正することができる。このため、アドレス時に不用意に猫背になることもなく、上半身の前傾姿勢を矯正しながら、スイングをすることができる。
【００２４】
本実施例によれば、１本の前記ゴム紐９を、前記半袖スポーツウェア１１における前記正面部２の前記右袖部７の脇部よりやや上方位置から、前記右肩部５を通って前記半袖スポーツウェア１１における前記背面部３の前記左袖部８の脇部よりやや上方位置へ架け、他方の前記ゴム紐９を、前記半袖スポーツウェア１１における前記正面部２の前記左袖部８の脇部よりやや上方位置から、前記左肩部６を通って前記半袖スポーツウェア１１における前記背面部３の前記右袖部７の脇部よりやや上方位置へ架けて、前記半袖スポーツウェア１１における前記背面部３の上方に２本のゴム紐９をたすき掛けにして縫着或いは接着しているので、着用者が上半身の前傾姿勢をとった際、前記半袖スポーツウェア１１における前記正面部２の前記右袖部７の脇部よりやや上方位置に取付けられた前記ゴム紐端部９ａは、前記正面部２の前記右袖部７の織布を引っ張るようにして作用するとともに、前記正面部２の前記右肩部５の織布にも作用する。一方、前記半袖スポーツウェア１１における前記背面部３の前記左袖部８の脇部よりやや上方位置に取付けられた前記ゴム紐端部９ｂは、前記背面部３の前記左袖部８の脇部の織布を引っ張るようにして作用する。
前記正面部２の前記左袖部８の脇部よりやや上方位置に取付けられた前記ゴム紐端部９ａ、及び前記背面部３の前記右袖部７の脇部に取付けられた前記ゴム紐端部９ｂも、一方の前記ゴム紐９と同様にして作用する。
【００２５】
このようにして、前記ゴム紐９が作用するため、前記半袖スポーツウェア１１を着用した際には、前記ゴム紐９が取付けられた前記正面部２の前記右袖部７、前記右肩部５、前記左袖部８及び前記左肩部６の織布は、着用者の肩甲骨を引き上げるようにして作用することになる。
よって、ゴルフクラブの適切なスイングをする際には、ボールにクラブがインパクトする際の上半身の前傾姿勢を適切なものとする必要があるが、前記半袖スポーツウェア１１における前記正面部２の前記右袖部７、前記右肩部５、前記左袖部８及び前記左肩部６に取付けられた前記ゴム紐９が対応する箇所の織布に作用するため、着用者の肩甲骨は引き上げられ、不用意に猫背になることもなく、上半身の前傾姿勢を矯正しながら、スイングをすることができる。
また、練習中でも試合中においても使用することができ、取付けの困難性も問題とすることもない。
【００２６】
また、本実施例においては、別の仕様をとることもできる。
本実施例に加えて図３及び図４に示すように、前記ゴム紐端部９ａから前記右肩部５を通って、前記背面部３における２本の前記ゴム紐９がたすき掛けされた交点箇所までの所定の位置、及び前記ゴム紐端部９ｂから２本の前記ゴム紐９がたすき掛けされた交点箇所までの所定の位置の前記背面部３に袋部１０を設けて、前記袋部１０の中に前記ゴム紐９を通すこともできる。左肩部においては、前記右肩部に対応する箇所に前記袋部１０を設けるものである。この別仕様例は、本実施例と同様の効果を奏するものであるが、前記背面部３に前記袋部１０を設けることで、前記半袖スポーツウェア１１の意匠性が増す効果もある。
また、本実施例においては、半袖スポーツウェアであったが、袖を長袖としても同様の効果を奏するものである。
また、前記ゴム紐９は、前記背面部３における衣服の内側面に設けることもできる。
【図面の簡単な説明】
【００２７】
【図１】本発明の実施例１における半袖スポーツウェアの正面図である。
【図２】本発明の実施例１における半袖スポーツウェアの背面図である。
【図３】本発明の実施例１における別仕様例の半袖スポーツウェアの正面図である。
【図４】本発明の実施例１における別仕様例の半袖スポーツウェアの背面図である。
【符号の説明】
【００２８】
１      長袖スポーツウェア
２      正面部
２ａ    右正面部
２ｂ    左正面部
３      背面部
４      襟部
５      右肩部
６      左肩部
７      右袖部
８      左袖部
９      ゴム紐
９ａ、９ｂ  ゴム紐端部
１０    袋部
１０ａ  左肩袋部
１０ｂ  左脇袋部
１０ｃ  右肩袋部
１０ｄ  右脇袋部
１１    半袖スポーツウェア
１２    フェイク部
１３    ベスト型スポーツウェア
１４    脇部
１５    ファスナー
１６    ポケット部
１７    ゴム紐支持具
１７ａ  貫通孔
１８    ゴム紐調節具
【図１】
0005164468.tif 000002
【図２】
0005164468.tif 000003
【図３】
0005164468.tif 000004
【図４】
0005164468.tif 000005